(57)【要約】【課題】使用時に装着感を損なうことがなく、かつ、使用者の皮膚等に異常を発生させる可能性が低い家庭用永久磁石磁気治療器を提供する。【解決手段】絆創膏５００により使用者の皮膚Ｈ表面に貼り付けて用いる家庭用永久磁石磁気治療器１００であって、柱状の内部空間Ｓを有する永久磁石部収納部５０を有し、厚さが０．５ｍｍ〜２．２ｍｍの範囲内にある保護ケース２０部と、永久磁石部収納部５０に収納され、厚さが０．３ｍｍ〜１．２ｍｍの範囲内にある柱状のネオジム−鉄−ホウ素系合金焼結磁石からなる永久磁石部１０とを備え、永久磁石部１０は、内部空間Ｓ内において、「保護ケース部２０の厚さ方向に直交する方向」に沿って移動可能な状態で、永久磁石部収納部５０に収納されている家庭用永久磁石磁気治療器。【選択図】図１
2011083394.tif 000002
【特許請求の範囲】
【請求項１】
貼り付け部材により使用者の皮膚表面に貼り付けて用いる家庭用永久磁石磁気治療器であって、
柱状の内部空間を有する永久磁石部収納部を有し、厚さが０．５ｍｍ〜２．２ｍｍの範囲内にある保護ケース部と、
前記永久磁石部収納部に収納され、厚さが０．３ｍｍ〜１．２ｍｍの範囲内にある柱状のネオジム−鉄−ホウ素系合金焼結磁石からなる永久磁石部とを備え、
前記保護ケース部の厚さ方向に沿った前記永久磁石部の長さは、前記保護ケース部の厚さ方向に沿った前記内部空間の長さよりも、０．０５ｍｍ以上短く、
前記永久磁石部は、前記内部空間内において、「前記保護ケース部の厚さ方向に直交する方向」に沿って移動可能な状態で、前記永久磁石部収納部に収納されていることを特徴とする家庭用永久磁石磁気治療器。
【請求項２】
請求項１に記載の家庭用永久磁石磁気治療器において、
前記家庭用永久磁石磁気治療器の軸方向に沿って見たとき、前記永久磁石部収納部の面積は、前記永久磁石部の面積の１．２倍以上であることを特徴とする家庭用永久磁石磁気治療器。
【請求項３】
請求項１又は２に記載の家庭用永久磁石磁気治療器において、
前記家庭用永久磁石磁気治療器は、円柱形状を有し、
前記内部空間は、円柱形状を有し、
前記永久磁石部は、円柱形状を有し、
前記内部空間の直径は、３．０ｍｍ〜１５．０ｍｍの範囲内にあり、
前記永久磁石部の外径は、１．０ｍｍ〜１３．７ｍｍの範囲内にあることを特徴とする家庭用永久磁石磁気治療器。
【請求項４】
請求項１〜３のいずれかに記載の家庭用永久磁石磁気治療器において、
前記永久磁石部は、厚さ方向に異方性を有することを特徴とする家庭用永久磁石磁気治療器。
【請求項５】
請求項１〜４のいずれかに記載の家庭用永久磁石磁気治療器において、
前記保護ケース部は、使用時に使用者の皮膚表面側に位置することとなる第１ケース部材と、使用時に使用者の皮膚表面側とは反対側に位置することとなる第２ケース部材とを有し、
前記永久磁石部収納部は、前記第１ケース部材の内面と前記第２ケース部材の内面とにより形成されていることを特徴とする家庭用永久磁石磁気治療器。
【請求項６】
請求項５に記載の家庭用永久磁石磁気治療器において、
前記第１ケース部材及び前記第２ケース部材はともに、非磁性金属材料からなることを特徴とする
【請求項７】
請求項６に記載の家庭用永久磁石磁気治療器において、
前記第１ケース部材の外面及び前記第２ケース部材の外面にはともに、金、白金、ロジウム又はパラジウムを主成分とする保護コーティング層が形成されていることを特徴とする家庭用永久磁石磁気治療器。
【請求項８】
請求項７に記載の家庭用永久磁石磁気治療器において、
前記第１ケース部材及び前記第２ケース部材と、前記保護コーティング層との間には、ニッケル、パラジウム又はニッケル−パラジウム合金からなる下地めっき層が形成されていることを特徴とする家庭用永久磁石磁気治療器。
【請求項９】
請求項８に記載の家庭用永久磁石磁気治療器において、
前記第１ケース部材の内面及び前記第２ケース部材の内面にも、金、白金、ロジウム又はパラジウムを主成分とする保護コーティング層が形成され、
前記第１ケース部材及び前記第２ケース部材と、前記保護コーティング層との間には、前記下地めっき層として、同種の下地めっき層が略同一厚さで形成されていることを特徴とする家庭用永久磁石磁気治療器。
【請求項１０】
請求項７〜９のいずれかに記載の家庭用永久磁石磁気治療器において、
前記保護コーティング層は、ゲルマニウム、ラジウム又はトルマリンを含有することを特徴とする家庭用永久磁石磁気治療器。
【請求項１１】
請求項７〜１０のいずれかに記載の家庭用永久磁石磁気治療器において、
前記家庭用永久磁石磁気治療器の表面には、含侵、ディッピング、吹き付け塗装、電着塗装又は焼き付け塗装による封孔処理が施されていることを特徴とする家庭用永久磁石磁気治療器。
【請求項１２】
請求項５に記載の家庭用永久磁石磁気治療器において、
前記第１ケース部材及び前記第２ケース部材はともに、樹脂からなることを特徴とする家庭用永久磁石磁気治療器。
【請求項１３】
請求項１２に記載の家庭用永久磁石磁気治療器において、
前記保護ケース部は、樹脂中にゲルマニウム、ラジウム又はトルマリンを含有することを特徴とする家庭用永久磁石磁気治療器。
【請求項１４】
請求項５〜１３のいずれかに記載の家庭用永久磁石磁気治療器において、
前記保護ケース部は、前記第１ケース部材と前記第２ケース部材との間に挟みこまれるシール部材をさらに有することが好ましい。
【請求項１５】
請求項１〜１４のいずれかに記載の家庭用永久磁石磁気治療器において、
前記保護ケース部の角部には、丸め加工、面取り加工又はその両方が施されていることを特徴とする家庭用永久磁石磁気治療器。
【発明の詳細な説明】
【技術分野】
【０００１】
本発明は、家庭用永久磁石磁気治療器に関する。
【背景技術】
【０００２】
従来、磁気治療効果を目的として、絆創膏、パッチ、シール等（以下、これらの部材を貼り付け部材ということもある。）により使用者の皮膚表面に貼り付けて用いる家庭用永久磁石磁気治療器が広く知られている（例えば、特許文献１参照。）。
【０００３】
図９は、従来の家庭用永久磁石磁気治療器９００を説明するために示す断面図である。なお、図９において符号Ｈで示すのは使用者の皮膚であり、他の図においても同様とする。
従来の家庭用永久磁石磁気治療器９００は、絆創膏９１０により使用者の皮膚Ｈ表面に貼り付けて用いる円盤状の家庭用永久磁石磁気治療器であり、厚さ２．５ｍｍ、直径５ｍｍのフェライト磁石からなる。なお、図９において、符号９１２は絆創膏９１０の基材を示し、符号９１４は上部剥離紙を示す。
【先行技術文献】
【特許文献】
【０００４】
【特許文献１】特開２００５−２９６４５５号公報
【発明の概要】
【発明が解決しようとする課題】
【０００５】
しかしながら、従来の家庭用永久磁石磁気治療器９００においては、家庭用永久磁石磁気治療器９００が磁力の弱いフェライト磁石からなるため、家庭用永久磁石磁気治療器として必要な磁力を確保するためにある程度の厚さが必要となり、その結果、使用時に装着感が損なわれるという問題がある。
また、従来の家庭用永久磁石磁気治療器９００においては、使用者に皮膚等の異常（例えば、金属アレルギー等）を発生させる可能性が高い金属成分が含まれているフェライト磁石が、使用者の皮膚表面に直接接触することとなるため、使用者の皮膚等に異常を発生させる可能性が高いという問題がある。
【０００６】
そこで、本発明は、上記の各問題を解決するためになされたもので、使用時に装着感を損なうことがなく、かつ、使用者の皮膚等に異常を発生させる可能性が低い家庭用永久磁石磁気治療器を提供することを目的とする。
【課題を解決するための手段】
【０００７】
［１］本発明の家庭用永久磁石磁気治療器は、  貼り付け部材により使用者の皮膚表面に貼り付けて用いる家庭用永久磁石磁気治療器であって、柱状の内部空間を有する永久磁石部収納部を有し、厚さが０．５ｍｍ〜２．２ｍｍの範囲内にある保護ケース部と、前記永久磁石部収納部に収納され、厚さが０．３ｍｍ〜１．２ｍｍの範囲内にある柱状のネオジム−鉄−ホウ素系合金焼結磁石からなる永久磁石部とを備え、前記保護ケース部の厚さ方向に沿った前記永久磁石部の長さは、前記保護ケース部の厚さ方向に沿った前記内部空間の長さよりも、０．０５ｍｍ以上短く、前記永久磁石部は、前記内部空間内において、「前記保護ケース部の厚さ方向に直交する方向」に沿って移動可能な状態で、前記永久磁石部収納部に収納されていることを特徴とする。
【０００８】
本発明の家庭用永久磁石磁気治療器によれば、保護ケース部の厚さが０．５ｍｍ〜２．２ｍｍの範囲内にあるため、従来の家庭用永久磁石磁気治療器よりも薄くなり、使用時に装着感を損なうことがない。なお、保護ケース部の厚さを０．５ｍｍ〜２．２ｍｍの範囲内にするのに伴って、永久磁石部の厚さも０．３ｍｍ〜１．２ｍｍと薄くなっているが、永久磁石部が磁力の強いネオジム−鉄−ホウ素系合金焼結磁石からなるため、十分な磁気治療効果を得ることができる。
また、本発明の家庭用永久磁石磁気治療器によれば、永久磁石部が保護ケース部の内部の永久磁石部収納部に収納されているため、使用時に永久磁石部が使用者の皮膚表面に直接接触することがなくなり、保護ケース部の表面を人体に対する反応性の低い材料で構成することにより、使用者の皮膚等に異常を発生させる可能性を少なくすることが可能となる。
その結果、本発明の家庭用永久磁石磁気治療器は、使用時に装着感を損なうことがなく、かつ、使用者の皮膚等に異常を発生させる可能性が低い家庭用永久磁石磁気治療器となる。
【０００９】
また、本発明の家庭用永久磁石磁気治療器によれば、厚さを０．３ｍｍ〜１．２ｍｍの範囲内にすることにより強度が損なわれることがある永久磁石部を保護ケース部により保護し、十分な強度を有する家庭用永久磁石磁気治療器とすることが可能となる。
【００１０】
ところで、柱状の永久磁石を備える一般的な家庭用永久磁石磁気治療器においては、永久磁石のエッジ部分においてよりも中央部分において弱い磁力しか得られないため、人体における永久磁石中央部分に対向する部分においては常に弱い磁気治療効果しか得られないこととなる。これに対して、本発明の家庭用永久磁石磁気治療器によれば、「保護ケース部の厚さ方向に直交する方向」に沿って移動可能な状態で、永久磁石部が永久磁石部収納部に収納されているため、使用者が動くとそれに応じて永久磁石部が動き、その結果、永久磁石が動く範囲全体にわたって適正な磁気治療効果を得ることが可能となる。また、人体から永久磁石部までの距離は変動しないため、常に所定の磁気治療効果を得ることが可能となる。また、使用者の動きに応じた永久磁石部の動きは通常不規則なものであるため、人体に作用する磁力も不規則に変化するようになり、その結果より一層効果的な磁気治療効果（例えばより一層の血行促進効果）を得ることが可能となる。
【００１１】
なお、保護ケース部の厚さは、使用時に装着感を損なわないようにするという観点からは１．５ｍｍ以下であることがより好ましい。また、保護ケース部の厚さは、強度を確保するという観点からは０．８ｍｍ以上であることがより好ましい。
【００１２】
また、永久磁石部の厚さは、保護ケース部への収納性という観点からは１ｍｍ以下であることがより好ましい。また、永久磁石部の厚さは、十分な磁力を確保するという観点からは０．４ｍｍ以上であることがより好ましい。
【００１３】
また、保護ケース部の厚さ方向に沿った前記永久磁石部の長さは、永久磁石収納部内において永久磁石部をよりスムーズに移動可能とするため、保護ケース部の厚さ方向に沿った内部空間の長さよりも、０．０５ｍｍ以上短いことがより好ましい。また、保護ケース部の厚さ方向に沿った内部空間の長さは、０．３５ｍｍ〜１．５ｍｍの範囲内にあることが好ましい。
【００１４】
本発明の家庭用永久磁石磁気治療器においては、永久磁石部の表面には、防錆層が形成されていることが好ましい。このような構成とすることにより、永久磁石部の耐食性を向上させることが可能となる。防錆層とは、永久磁石部の腐食を防ぐ効果がある層のことをいう。防錆層としては、ニッケルからなる防錆層、種々の樹脂からなる防錆層、貴金属からなる防錆層等を用いることができる。
【００１５】
［２］本発明の家庭用永久磁石磁気治療器においては、前記家庭用永久磁石磁気治療器の軸方向に沿って見たとき、前記永久磁石部収納部の面積は、前記永久磁石部の面積の１．２倍以上であることが好ましい。
【００１６】
このような構成とすることにより、永久磁石部が内部空間内においてダイナミックに移動するようになるため、さらに大きな磁気治療効果が得られる。
【００１７】
このような観点から言えば、前記永久磁石部収納部の面積は、前記永久磁石部の面積の１．５倍以上であることがより好ましく、２倍以上であることがさらに好ましい。
【００１８】
［３］本発明の家庭用永久磁石磁気治療器においては、前記家庭用永久磁石磁気治療器は、円柱形状を有し、前記内部空間は、円柱形状を有し、前記永久磁石部は、円柱形状を有し、前記内部空間の直径は、３．０ｍｍ〜１５．０ｍｍの範囲内にあり、前記永久磁石部の外径は、１．０ｍｍ〜１３．７ｍｍの範囲内にあることが好ましい。
【００１９】
このような構成とすることにより、家庭用永久磁石磁気治療器の軸方向に沿って見たとき、永久磁石部収納部の面積を前記永久磁石部の面積よりも十分に大きくすることができる。
【００２０】
［４］本発明の家庭用永久磁石磁気治療器においては、前記永久磁石部は、厚さ方向に異方性を有することが好ましい。
【００２１】
このような構成とすることにより、強力な磁力を有する永久磁石部１０となる。
【００２２】
［５］本発明の家庭用永久磁石磁気治療器においては、前記保護ケース部は、使用時に使用者の皮膚表面側に位置することとなる第１ケース部材と、使用時に使用者の皮膚表面側とは反対側に位置することとなる第２ケース部材とを有し、前記永久磁石部収納部は、前記第１ケース部材の内面と前記第２ケース部材の内面とにより形成されていることが好ましい。
【００２３】
このような構成とすることにより、永久磁石部収納部に永久磁石部を収納することが可能な家庭用永久磁石磁気治療器となる。
また、第１ケース部材の内面と第２ケース部材の内面とが形成する永久磁石部収納部に永久磁石部を収納する構造を有するため、永久磁石部の腐食の原因となりやすい外気、汗等から永久磁石部を保護することが可能となる。
【００２４】
［６］本発明の家庭用永久磁石磁気治療器においては、前記第１ケース部材及び前記第２ケース部材はともに、非磁性金属材料からなることが好ましい。
【００２５】
このような構成とすることにより、保護ケース部が金属材料（非磁性金属材料）であることから、剛性が高い保護ケース部とすることが可能となる。
なお、本発明の家庭用永久磁石磁気治療器においては、保護ケース部が非磁性金属材料であることから、内部空間内での永久磁石部の動きが抑制されることもない。また、本発明の家庭用永久磁石磁気治療器においては、使用時に使用者の皮膚表面側に位置することとなる第１ケース部材が非磁性金属材料からなるものであるため、磁気治療効果が損なわれることもない。
【００２６】
非磁性金属材料とは、磁性を有さない金属材料をいう。非磁性金属材料の具体例としては、銅、銅合金、チタン、チタン合金、アルミニウム、アルミニウム合金、マグネシウム、マグネシウム合金、亜鉛、亜鉛合金、非磁性鋼、貴金属及び貴金属を主成分とする合金を挙げることができる。
使用時に使用者の皮膚表面側に位置することとなる第１ケース部材が、チタン、チタン合金、一部の非磁性鋼（特に、オーステナイト系ステンレス鋼）、貴金属又は貴金属を主成分とする合金からなる場合には、当該非磁性金属材料は人体に対する反応性が極めて低いため、使用者の皮膚等に異常を発生させる可能性が極めて低い家庭用永久磁石磁気治療器とすることができる。
第１ケース部材が、アルミニウム、アルミニウム合金、マグネシウム又はマグネシウム合金からなる場合には、陽極酸化処理や化成処理を施すことにより、人体に対する反応性を極めて低くすることができるため、使用者の皮膚等に異常を発生させる可能性が極めて低い家庭用永久磁石磁気治療器とすることができる。
第１ケース部材が、銅、銅合金、亜鉛、亜鉛合金及び多くの非磁性鋼（特に、高マンガン鋼及び高ニッケル鋼）からなる場合には、第１ケース部材の外面に、人体に対する反応性が極めて低い材料からなる層を形成することにより、人体に対する反応性を極めて低くすることができるため、使用者の皮膚等に異常を発生させる可能性が極めて低い家庭用永久磁石磁気治療器とすることができる。
【００２７】
銅合金とは、銅を主成分とし、亜鉛、ニッケル、錫等その他の成分を含有する合金をいう。具体例としては、真鍮、洋白及び青銅を挙げることができる。
また、チタン合金とは、チタンを主成分とし、アルミニウム、バナジウム、ニオブ、銀、モリブデン等その他の成分を含有する合金をいう。具体例としては、６０種及び６１種のチタン合金を挙げることができる。
また、アルミニウム合金とは、アルミニウムを主成分とし、亜鉛、マグネシウム、銅その他の成分を含有する合金をいう。具体例としては、ジュラルミン、３０００系アルミニウム合金及び４０００系アルミニウム合金を挙げることができる。
また、マグネシウム合金とは、マグネシウムを主成分とし、アルミニウム、亜鉛、カルシウムその他の成分を含有する合金をいう。具体例としては、ＡＺ３１系合金、ＡＺ９１系合金及びＺＫ５１Ａ合金を挙げることができる。
また、亜鉛合金とは、亜鉛を主成分とし、アルミニウム、銅、マグネシウムその他の成分を含有する合金をいう。具体例としては、ＺＤＣ１合金及びＺＤＣ２合金を挙げることができる。
また、非磁性鋼とは、一般に鋼と呼ばれるもののうち磁性を有しないものをいう。具体例としては、オーステナイト系ステンレス鋼、オーステナイト系耐熱鋼、高マンガン鋼及び高ニッケル鋼を挙げることができる。
また、貴金属とは、金、銀及び白金族金属の総称をいう。第１ケース部材の材料としては、金、銀、白金、パラジウムが特に適する。貴金属を主成分とする合金とは、前記した貴金属を主成分とする種々の合金をいう。
【００２８】
［７］本発明の家庭用永久磁石磁気治療器においては、前記第１ケース部材の外面及び前記第２ケース部材の外面にはともに、金、白金、ロジウム又はパラジウムを主成分とする保護コーティング層が形成されていることが好ましい。
【００２９】
金、白金、ロジウム又はパラジウムは、非磁性金属であり、また、反応性が極めて低い金属であるため、上記のような構成とすることにより、磁気治療効果を損なうことなく使用者の皮膚等に異常を発生させる可能性を極めて低くすることができる。また、外気、汗等から第１ケース部材及び第２ケース部材をともに保護し、耐食性を高めることが可能となる。
また、金、白金、ロジウム又はパラジウムが質感に優れる貴金属であることから、高級感のある家庭用永久磁石磁気治療器となる。
【００３０】
保護コーティング層の厚さは、その効果を確保するという観点からは０．０３μｍ以上であることが好ましく、０．１μｍ以上であることがより好ましい。また、当該厚さは、剥がれにくさを確保するという観点からは３μｍ以下であることが好ましい。
【００３１】
[８]本発明の家庭用永久磁石磁気治療器においては、第１ケース部材及び第２ケース部材と、保護コーティング層との間には、ニッケル、パラジウム又はニッケル−パラジウム合金からなる下地めっき層が形成されていることが好ましい。
【００３２】
このような構成とすることにより、保護コーティング層の密着性、緻密性、めっき付き回り性及び安定性を向上させ、保護コーティング層の耐食性をさらに向上させることが可能となる。下地めっき層の厚さは、その効果を確保するという観点からは０．０５μｍ以上であることが好ましい。また、当該厚さは、剥がれにくさを確保するという観点からは３μｍ以下であることが好ましい。
【００３３】
［９］本発明の家庭用永久磁石磁気治療器においては、前記第１ケース部材の内面及び前記第２ケース部材の内面にも、金、白金、ロジウム又はパラジウムを主成分とする保護コーティング層が形成され、前記第１ケース部材及び前記第２ケース部材と、前記保護コーティング層との間には、前記下地めっき層として、同種の材料からなる下地めっき層が略同一厚さで形成されていることが好ましい。
【００３４】
ところで、上記したように、第１ケース部材の内面及び第２ケース部材の内面にも保護コーティング層が形成され、さらには第１ケース部材及び第２ケース部材と、保護コーティング層との間にニッケル又はニッケル−パラジウム合金からなる下地めっき層が形成されている場合には、下地めっき層の材料が、磁性を帯びる性質の材料であることから、保護ケース部における内部空間内で永久磁石部の動きが妨げられるのではないかとも考えられる。しかしながら、本発明の発明者の実験によれば、下地めっき層として、同種の材料（ニッケル又はニッケル−パラジウム合金）からなる下地めっき層を略同一厚さで形成した場合には、当該下地めっき層を形成することに起因して保護ケース部における内部空間内で永久磁石部の動きが妨げられる、ということがないことが確認されている（後述する実施形態５参照。）。その理由はまだ明らかには分かっていないが、第１ケース部材の下地めっき層と第２ケース部材の下地めっき層と永久磁石とが共同してバランスよく磁気回路を構成するためであると推測される。
【００３５】
なお、本発明の家庭用永久磁石磁気治療器において、第１ケース部材の外面及び第２ケース部材の外面とは、保護ケース部として用いるときに外部に露出する面をいう。また、第１ケース部材の内面及び第２ケース部材の内面とは、保護ケース部として用いるときに、永久磁石部と向かい合う面をいう。
【００３６】
［１０］本発明の家庭用永久磁石磁気治療器においては、前記保護コーティング層は、ゲルマニウム、ラジウム又はトルマリンを含有することが好ましい。
【００３７】
このような構成とすることにより、磁気治療効果に加えて、ゲルマニウム、ラジウム又はトルマリンが有する効果（例えば、新陳代謝の活性化、血流促進、温熱効果等）を得ることができる。
【００３８】
［１１］本発明の家庭用永久磁石磁気治療器においては、前記家庭用永久磁石磁気治療器の表面には、含侵、ディッピング、吹き付け塗装、電着塗装又は焼き付け塗装による封孔処理が施されていることが好ましい。
【００３９】
このような構成とすることにより、保護ケース部の表面等に存在することがある微細な孔やクラックを樹脂によって塞ぎ、より安全性が高く、また、より耐食性が高い家庭用永久磁石磁気治療器とすることが可能となる。封孔処理に用いる樹脂の具体例としては、アクリル樹脂、エポキシ樹脂、フェノール樹脂等を挙げることができる。
【００４０】
［１２］本発明の家庭用永久磁石磁気治療器においては、前記第１ケース部材及び前記第２ケース部材はともに、樹脂からなることが好ましい。
【００４１】
樹脂は人体との反応性が極めて低い材料であるため、上記のような構成とすることにより、磁気治療効果を損なうことなく使用者の皮膚等に異常を発生させる可能性を極めて低くすることができる。
また、樹脂は成型及び加工が比較的容易であるため、製造が比較的容易な保護ケース部とすることが可能となる。
なお、本発明の家庭用永久磁石磁気治療器においては、保護ケース部が非磁性材料である樹脂からなることから、内部空間内での永久磁石部の動きが抑制されることもない。
【００４２】
［１３］本発明の家庭用永久磁石磁気治療器においては、前記保護ケース部は、樹脂中にゲルマニウム、ラジウム又はトルマリンを含有することが好ましい。
【００４３】
このような構成とすることにより、磁気治療効果に加えて、ゲルマニウム、ラジウム又はトルマリンが有する効果（例えば、新陳代謝の活性化、血流促進、温熱効果等）を得ることができる。
【００４４】
［１４］本発明の家庭用永久磁石磁気治療器においては、前記保護ケース部は、前記第１ケース部材と前記第２ケース部材との間に挟みこまれるシール部材をさらに有することが好ましい。
【００４５】
このような構成とすることにより、シール部材の働きにより保護ケース部の内部に外気、汗等が侵入することを防止することが可能となり、より確実に永久磁石部を保護することが可能となる。
なお、シール部材とは、第１ケース部材と第２ケース部材との隙間を補填する部材をいう。具体例としては、Ｏリング、シート、接着剤等を挙げることができる。シール部材を構成する材料としては、外気、汗等に対する耐久性が高い樹脂やゴム等を好適に用いることができる。
【００４６】
［１５］本発明の家庭用永久磁石磁気治療器においては、前記保護ケース部の角部には、丸め加工、面取り加工又はその両方が施されていることが好ましい。
【００４７】
このような構成とすることにより、使用時の装着感及び安全性を向上させることが可能となる。
【図面の簡単な説明】
【００４８】
【図１】実施形態１に係る家庭用永久磁石磁気治療器１００の使用態様を説明するために示す図である。
【図２】実施形態１に係る家庭用永久磁石磁気治療器１００を説明するために示す図である。
【図３】実施形態１に係る家庭用永久磁石磁気治療器１００における永久磁石部１０の製造方法を示すフローチャートである。
【図４】実施形態２に係る家庭用永久磁石磁気治療器１０２を説明するために示す断面図である。
【図５】実施形態３に係る家庭用永久磁石磁気治療器１０４を説明するために示す図である。
【図６】実施形態４に係る家庭用永久磁石磁気治療器１０６を説明するために示す図である。
【図７】実施形態５に係る家庭用永久磁石磁気治療器１０８を説明するために示す図である。
【図８】実施形態６に係る家庭用永久磁石磁気治療器２００を説明するために示す図である。
【図９】従来の家庭用永久磁石磁気治療器９００を説明するために示す断面図である。
【００４９】
以下、本発明の家庭用永久磁石磁気治療器について、図に示す実施の形態に基づいて説明する。
【００５０】
［実施形態１］
図１は、実施形態１に係る家庭用永久磁石磁気治療器１００の使用態様を説明するために示す図である。図１（ａ）は家庭用永久磁石磁気治療器１００の使用態様を示す縦断面図であり、図１（ｂ）は家庭用永久磁石磁気治療器１００を第１ケース部材４０側から見た図である。但し、図１(ｂ）においては、第１ケース部材４０の図示を省略している。
図２は、実施形態１に係る家庭用永久磁石磁気治療器１００を説明するために示す図である。図２（ａ）は家庭用永久磁石磁気治療器１００を示す上面図であり、図２（ｂ）は図２（ａ）のＡ１−Ａ１断面図である。なお、図１（ａ）及び図１（ｂ）中、矢印は、永久磁石の動きを模式的に示したものである。また、図２（ｂ）中、符号ｔ１は保護ケース部２０の厚さを示し、符号ｔ２は永久磁石部１０の厚さ（保護ケース部２０の厚さ方向に沿った永久磁石部１０の長さ）を示し、符号ｔ３は保護ケース部２０の厚さ方向に沿った内部空間５０の長さを示す。
【００５１】
実施形態１に係る家庭用永久磁石磁気治療器１００の使用時には、図１に示すように、絆創膏５００により家庭用永久磁石磁気治療器１００を使用者の皮膚Ｈ表面に貼り付けて用いる。絆創膏５００は、基材及び粘着層からなる。基材の材料としては、例えば、綿−ポリウレタン混紡材、ポリ塩化ビニル、紙系不織布等を好適に用いることができる。粘着層の材料としては、例えば、アクリル系粘着材、ゴム系粘着材、シリコーン系粘着材等を好適に用いることができる。
【００５２】
実施形態１に係る家庭用永久磁石磁気治療器１００は、図１及び図２に示すように、円盤状（又は円柱状）の保護ケース部２０と、円盤状（又は円柱状）の永久磁石部１０とを備える。
【００５３】
保護ケース部２０は、柱状の内部空間Ｓを有する永久磁石部収納部５０を有し、厚さｔ１が１．４ｍｍ、外径が１０ｍｍである。
【００５４】
保護ケース部２０は、非磁性金属材料であるチタンからなり使用時に使用者の皮膚表面側に位置することとなる第１ケース部材３０と、非磁性金属材料であるチタンからなり使用時に使用者の皮膚表面側とは反対側に位置することとなる第２ケース部材４０とを有する。そして、第１ケース部材３０の内面と第２ケース部材４０の内面とにより、円盤状（円柱状）の永久磁石部収納部５０が形成されている。
【００５５】
第１ケース部材３０の、使用時に永久磁石部１０の使用者の皮膚Ｈ表面側と向かい合う面（底面）の厚さは０．２ｍｍである。また、第２ケース部材４０の、使用時に永久磁石部１０の使用者の皮膚Ｈ表面側とは反対側の面と向かい合う面（天面）の厚さも０．２ｍｍである。従って、保護ケース部２０の厚さ方向に沿った内部空間Ｓの長さは１．０ｍｍである。永久磁石部収納部５０の内径は、８．２ｍｍである。
【００５６】
永久磁石部１０は、永久磁石部収納部５０に収納され、直径が４．０ｍｍ、厚さが０．８ｍｍである円柱状のネオジム−鉄−ホウ素系合金焼結磁石からなる。
【００５７】
従って、保護ケース部２０の厚さ方向に沿った永久磁石部の長さｔ３（永久磁石部１０の厚さ）は、保護ケース部２０の厚さ方向に沿った内部空間Ｓの長さｔ２よりも、２．０ｍｍ短く、永久磁石部１０は、内部空間Ｓ内において、「保護ケース部２０の厚さ方向に直交する方向」に沿って移動可能な状態で、永久磁石部収納部５０に収納されている。
【００５８】
実施形態１に係る家庭用永久磁石磁気治療器１００においては、家庭用永久磁石磁気治療器１００の軸方向に沿って見たとき、永久磁石部収納部５０の面積は、永久磁石磁気部の面積の約４倍である。
【００５９】
第１ケース部材３０及び第２ケース部材４０は、嵌合によって固定されている。なお、本発明はこれに限られるものではなく、第１ケース部材及び第２ケース部材は、ラッチ構造や接着剤等によって固定することもできる。
また、保護ケース部２０の角部には、丸め加工及び面取り加工の両方が施されている。
【００６０】
図示による詳しい説明は省略するが、永久磁石部１０の表面には、ニッケルからなる防錆層が形成されている。防錆層は、後述するように電解めっき法で形成される。
なお、永久磁石部１０は、家庭用永久磁石磁気治療器１００を使用するときに、使用者の皮膚Ｈ表面側における磁束密度が１８０ｍＴ程度となるように構成されている。
【００６１】
次に、家庭用永久磁石磁気治療器１００の製造方法を説明する。
【００６２】
まず、実施形態１に係る家庭用永久磁石磁気治療器１００における永久磁石部１０の製造方法を説明する。
図３は、実施形態１に係る家庭用永久磁石磁気治療器１００における永久磁石部１０の製造方法を示すフローチャートである。
永久磁石部１０は、上記したようにネオジム−鉄−ホウ素系合金焼結磁石からなり、以下においては当該ネオジム−鉄−ホウ素系合金焼結磁石の製造方法を説明する。
【００６３】
（１）加熱溶融工程Ｓ１
まず、永久磁石部１０の原料（ネオジム、鉄、ホウ素及びその他の添加物）を混合した後に、１２００℃〜１３００℃の温度で溶融させる。加熱には、例えば、高周波溶融炉を用いることができる。加熱溶融工程Ｓ１は、原料の酸化を防ぐために不活性ガス（例えば、アルゴンガス）雰囲気下又は真空下において行う。
【００６４】
（２）粉砕工程Ｓ２
次に、融解した原料を冷却し、固化させた後に粉砕して、粒径数μｍの粉末とする。粉砕には、ジェットミルやボールミル等の種々の粉砕機を用いることができる。いずれの粉砕機を用いる場合においても、原料の酸化を防ぐため、不活性ガス（例えば、窒素ガス）雰囲気下において粉砕する。
【００６５】
（３）成形工程Ｓ３
次に、粉末とした原料を、永久磁石部１０の形状に相当する金型に入れ、プレス成形を行う。このとき、着磁工程Ｓ７において着磁すべき方向に沿う磁場をかけ、そのままプレス成形を行うことで、磁石を構成する結晶成分の方向を揃えることができる。これにより、完成する永久磁石部１０を強力な永久磁石とすることができる。成形工程Ｓ３は、原料の酸化を防ぐために、不活性ガス（例えば、窒素ガス）雰囲気下において行うことが好ましい。
【００６６】
（４）焼結・熱処理工程Ｓ４
次に、成形した原料を炉に入れ、原料の融点以下の温度（およそ１１００℃〜１２００℃）で焼結を行う。その結果、粉末を押し固めた状態であった原料が一体化し、焼結した部材となる。
その後に、焼結よりも低い温度（おおよそ５００℃〜１０００℃）において熱処理を行い、焼結した部材の機械的特性を向上させる。
なお、焼結・熱処理工程Ｓ４は、原料及び部材の酸化を防ぐために真空下において行う。
【００６７】
（５）仕上げ加工工程Ｓ５
仕上げ加工工程Ｓ５は、焼結及び熱処理を施した部材の寸法を揃え、また、表面を平滑化するための工程である。部材の寸法は、例えば、ダイヤモンド砥石を備える研削機等を用いて揃えることができる。表面の平滑化は、例えば、回転式、遠心式、揺動式等種々のバレル研磨機を用いて行うことができる。
【００６８】
（６）表面処理工程Ｓ６
次に、仕上げ加工を行った部材に、耐腐食性を高めるための表面処理を行い、防錆層を形成する。実施形態１の場合、防錆層は電解めっき法によって形成されたニッケルの層である。
【００６９】
（７）着磁工程Ｓ７
最後に、パルス式着磁機等によって磁場を発生させ、当該磁場中において着磁を行い、永久磁石部１０を完成させる。発生させる磁場の強さは、例えば、３０ｋＯｅ程度である。
【００７０】
このような方法によって、永久磁石部１０を製造することができる。
【００７１】
次に、実施形態１に係る家庭用永久磁石磁気治療器１００における第１ケース部材３０及び第２ケース部材４０の製造方法を簡単に説明する。
【００７２】
（１）第１ケース部材３０の製造方法
まず、チタンからなる原棒を準備する。
次に、原棒を加工し、第１ケース部材３０に対応する寸法及び形状の原部材とする。当該加工は、例えば、切削、研削又はその両方によって行うことができる。切削を行う機械としては、例えば、カム式旋盤、ＮＣ旋盤等を用いることができる。また、研削を行う機械としては、例えば、平面研削盤、円筒研削盤等を用いることができる。
次に、原部材の表面を平滑化するとともに丸め加工を行い、第１ケース部３０とする。表面の平滑化及び丸め加工は、例えば、回転式、遠心式、揺動式等種々のバレル研磨機を用いて行うことができる。
このような方法によって、第１ケース部材３０を製造することができる。
【００７３】
（２）第２ケース部材４０の製造方法
第２ケース部材４０の製造方法は、第２ケース部材４０に対応する寸法及び形状とすることを除けば、第１ケース部材３０の製造方法と基本的に同様である。従って、第２ケース部材４０の製造方法についての説明は省略する。
【００７４】
このような方法によって、第１ケース部材３０及び第２ケース部材４０を製造することができる。
【００７５】
次に、実施形態１に係る家庭用永久磁石磁気治療器１００の組立方法を簡単に説明する。
【００７６】
まず、第１ケース部材３０の内側に永久磁石部１０を配置する。
次に、第１ケース部材３０及び第２ケース部材４０の双方における嵌合箇所を合わせる。
次に、圧力をかけ、第１ケース部材３０と第２ケース部材４０とを嵌合させる。圧力は、機械又は人力によってかけることができる。
【００７７】
このような方法によって、家庭用永久磁石磁気治療器１００の組立を行うことができる。
【００７８】
このような永久磁石部１０の製造方法、第１ケース部材３０及び第２ケース部材４０の製造方法並びに家庭用永久磁石磁気治療器１００の組立方法によって、家庭用永久磁石磁気治療器１００を製造することができる。
【００７９】
次に、実施形態１に係る家庭用永久磁石磁気治療器１００の効果を説明する。
【００８０】
実施形態１に係る家庭用永久磁石磁気治療器１００によれば、保護ケース部２０の厚さｔ１が０．５ｍｍ〜２．２ｍｍ（１．４ｍｍ）の範囲内にあるため、従来の家庭用永久磁石磁気治療器９００よりも薄くなり、使用時に装着感を損なうことがない。なお、保護ケース部２０の厚さｔ１を０．５ｍｍ〜２．２ｍｍ（１．４ｍｍ）の範囲内にするのに伴って、永久磁石部１０の厚さｔ２も０．３ｍｍ〜１．２ｍｍ（０．８ｍｍ）と薄くなっているが、永久磁石部１０が磁力の強いネオジム−鉄−ホウ素系合金焼結磁石からなるため、十分な磁気治療効果を得ることができる。
また、実施形態１に係る家庭用永久磁石磁気治療器１００によれば、永久磁石部１０が保護ケース部２０の内部の永久磁石部収納部５０に収納されているため、使用時に永久磁石部１０が使用者の皮膚Ｈ表面に直接接触することがなくなり、保護ケース部２０の表面を人体に対する反応性の低い材料で構成することにより、使用者の皮膚等に異常を発生させる可能性を少なくすることが可能となる。なお、実施形態１において、保護ケース部２０の表面は人体に対する反応性が極めて低いチタンから構成されている。
その結果、実施形態１に係る家庭用永久磁石磁気治療器１００は、使用時に装着感を損なうことがなく、かつ、使用者の皮膚等に異常を発生させる可能性が低い家庭用永久磁石磁気治療器となる。
【００８１】
また、実施形態１に係る家庭用永久磁石磁気治療器１００によれば、厚さを０．３ｍｍ〜１．２ｍｍ（０．８ｍｍ）とすることにより強度が損なわれることがある永久磁石部１０を保護ケース部２０により保護し、十分な強度を有する家庭用永久磁石磁気治療器とすることが可能となる。
【００８２】
また、実施形態１に係る家庭用永久磁石磁気治療器１００によれば、少なくとも「保護ケース部２０の厚さ方向に直交する方向」に沿って移動可能な状態で、永久磁石部１０が永久磁石部収納部５０に収納されているため、使用者が動くとそれに応じて永久磁石部１０が動き、その結果、永久磁石１０が動く範囲全体にわたって適正な磁気治療効果を得ることが可能となる。また、人体から永久磁石部１０までの距離は変動しないため、常に所定の磁気治療効果を得ることが可能となる。また、使用者が動きに応じた永久磁石部１０の動きは通常不規則なものであるため、人体に作用する磁力も不規則に変化するようになり、その結果より一層効果的な磁気治療効果（例えばより一層の血行促進効果）を得ることが可能となる。
【００８３】
また、実施形態１に係る家庭用永久磁石磁気治療器１００によれば、家庭用永久磁石磁気治療器１００の軸方向に沿って見たとき、永久磁石部収納部５０の面積は、永久磁石部１０の面積の１．２倍以上（４倍）あるため、永久磁石部が内部空間内においてダイナミックに移動するようになるため、さらに大きな磁気治療効果が得られる。
【００８４】
また、実施形態１に係る家庭用永久磁石磁気治療器１００によれば、家庭用永久磁石磁気治療器１００は円柱形状を有し、内部空間Ｓは円柱形状を有し、永久磁石部１０は円柱形状を有し、内部空間Ｓの内径は、３．０ｍｍ〜１５．０ｍｍ（８．２ｍｍ）の範囲内にあり、永久磁石部の外径は、１．０ｍｍ〜１３．７ｍｍ（４．０ｍｍ）の範囲内にあるため、家庭用永久磁石磁気治療器１００の軸方向に沿って見たとき、永久磁石部収納部５０の面積を永久磁石部１０の面積よりも十分に大きくすることができる。
【００８５】
また、実施形態１に係る家庭用永久磁石磁気治療器１００においては、永久磁石部１０は、厚さ方向に異方性を有するため、強力な磁力を有する永久磁石部となる。
【００８６】
また、実施形態１に係る家庭用永久磁石磁気治療器１００においては、保護ケース部２０が、使用時に使用者の皮膚Ｈ表面側に位置することとなる第１ケース部材３０と、使用時に使用者の皮膚Ｈ表面側とは反対側に位置することとなる第２ケース部材４０とを有し、永久磁石部収納部５０は、第１ケース部材３０の内面と第２ケース部材４０の内面とにより形成されているため、永久磁石部収納部に永久磁石部を収納することが可能な家庭用永久磁石磁気治療器となる。また、第１ケース部材３０の内面と第２ケース部材４０の内面とが形成する永久磁石部収納部５０に永久磁石部１０を収納する構造を有するため、永久磁石部の腐食の原因となりやすい外気、汗等から永久磁石部を保護することが可能となる。
【００８７】
実施形態１に係る家庭用永久磁石磁気治療器１００によれば、第１ケース部材３０及び第２ケース部材４０はともに、非磁性金属材料（チタン）からなるため、剛性が高い保護ケース部とすることが可能となる。
なお、実施形態１に係る家庭用永久磁石磁気治療器１００においては、保護ケース部２０が非磁性金属材料（チタン）であることから、内部空間内での永久磁石部の動きが抑制されることもない。また、実施形態１に係る家庭用永久磁石磁気治療器１００においては、使用時に使用者の皮膚表面側に位置することとなる第１ケース部材３０が非磁性金属材料（チタン）からなるものであるため、磁気治療効果が損なわれることもない。
【００８８】
また、第１ケース部材３０が、人体に対する反応性が極めて低いチタンからなるため、使用者の皮膚等に異常を発生させる可能性が極めて低い家庭用永久磁石磁気治療器とすることができる。
【００８９】
また、実施形態１に係る家庭用永久磁石磁気治療器１００によれば、保護ケース部２０の角部には、丸め加工及び面取り加工の両方が施されているため、使用時の装着感及び安全性を向上させることが可能となる。
【００９０】
また、実施形態１に係る家庭用永久磁石磁気治療器１００によれば、永久磁石部１０の表面にニッケルめっきからなる防錆層が形成されているため、永久磁石部１０の耐食性を向上させることが可能となる。
【００９１】
［実施形態２］
図４は、実施形態２に係る家庭用永久磁石磁気治療器１０２を説明するために示す断面図である。
【００９２】
実施形態２に係る家庭用永久磁石磁気治療器１０２は、基本的には実施形態１に係る家庭用永久磁石磁気治療器１００と同様の構成を有するが、保護ケース部の構成が異なる。すなわち、実施形態２に係る家庭用永久磁石磁気治療器１０２においては、図４に示すように、保護ケース部２２は第１ケース部材３２と第２ケース部材４２との間に挟みこまれるシール部材６０をさらに有する。なお、これに伴って、第１ケース部材３２及び第２ケース部材４２の構成も実施形態１に係る家庭用永久磁石磁気治療器１００における第１ケース部材３０及び第２ケース部材４０の構成とは異なるものとなっており、第１ケース部材３２及び第２ケース部材４２は、ラッチ構造によって固定されている。
シール部材６０は、ブチルゴムからなるＯリングである。
【００９３】
このように、実施形態２に係る家庭用永久磁石磁気治療器１０２は、保護ケース部の構成が実施形態１に係る家庭用永久磁石磁気治療器１００とは異なるが、実施形態１に係る家庭用永久磁石磁気治療器１００の場合と同様に、保護ケース部２２の厚さが１．４ｍｍであり、また、永久磁石部１０が保護ケース部２２の内部の永久磁石部収納部５２に収納されており、さらには、永久磁石部１０が、内部空間Ｓ内において、「保護ケース部２２の厚さ方向に直交する方向」に沿って移動可能な状態で、永久磁石部収納部５２に収納されているため、使用時に装着感を損なうことがなく、使用者の皮膚等に異常を発生させる可能性が低く、さらには、使用者が動くとそれに応じて永久磁石部が動き、その結果、永久磁石が動く範囲全体にわたって適正な磁気治療効果を得ることが可能な家庭用永久磁石磁気治療器となる。
【００９４】
また、実施形態２に係る家庭用永久磁石磁気治療器１０２によれば、保護ケース部２２は、第１ケース部材３２と第２ケース部材４２との間に挟みこまれるシール部材６０をさらに有するため、シール部材６０の働きにより保護ケース部２２の内部に外気、汗等が侵入することを防止することが可能となり、より確実に永久磁石部１０を保護することが可能となる。
【００９５】
なお、実施形態２に係る家庭用永久磁石磁気治療器１０２は、保護ケース部の構成以外の点においては、実施形態１に係る家庭用永久磁石磁気治療器１００と同様の構成を有するため、実施形態１に係る家庭用永久磁石磁気治療器１００が有する効果のうち該当する効果をそのまま有する。
【００９６】
［実施形態３］
図５は、実施形態３に係る家庭用永久磁石磁気治療器１０４を説明するために示す図である。図５（ａ）は家庭用永久磁石磁気治療器１０４の断面図であり、図５（ｂ）は図５（ａ）の符号Ｒ１が示す範囲を拡大して表示する部分拡大断面図である。
なお、図５においては、保護コーティング層７０の厚さを誇張して表示している。
【００９７】
実施形態３に係る家庭用永久磁石磁気治療器１０４は、基本的には実施形態１に係る家庭用永久磁石磁気治療器１００と同様の構成を有するが、第１ケース部材及び第２ケース部材の構成が異なる。すなわち、実施形態３に係る家庭用永久磁石磁気治療器１０４においては、図５に示すように、第１ケース部材３４及び第２ケース部材４４は真鍮からなり、また、第１ケース部材３４の外面及び第２ケース部材４４の外面には、金からなる保護コーティング層７０が形成されている。保護コーティング層７０の厚さは２μｍであり、例えば、電解めっき法又は無電解めっき法で形成することができる。
【００９８】
このように、実施形態３に係る家庭用永久磁石磁気治療器１０４は、第１ケース部材及び第２ケース部材の構成が実施形態１に係る家庭用永久磁石磁気治療器１００とは異なるが、実施形態１に係る家庭用永久磁石磁気治療器１００の場合と同様に、保護ケース部２４の厚さが１．４ｍｍであり、また、永久磁石部１０が保護ケース部２４の内部の永久磁石部収納部５４に収納されており、さらには、永久磁石部１０が、内部空間Ｓ内において、「保護ケース部２４の厚さ方向に直交する方向」に沿って移動可能な状態で、永久磁石部収納部５４に収納されているため、使用時に装着感を損なうことがなく、使用者の皮膚等に異常を発生させる可能性が低く、さらには、使用者が動くとそれに応じて永久磁石部が動き、その結果、永久磁石が動く範囲全体にわたって適正な磁気治療効果を得ることが可能な家庭用永久磁石磁気治療器となる。
【００９９】
また、実施形態３に係る家庭用永久磁石磁気治療器１０４によれば、第１ケース部材３４の外面及び第２ケース部材４４の外面には、金からなる保護コーティング層７０が形成されているため、磁気治療効果を損なうことなく使用者の皮膚等に異常を発生させる可能性を極めて低くすることができる。また、外気、汗等から第１ケース部材３４及び第２ケース部材４４をともに保護し、耐食性を高めることが可能となる。
また、金が質感に優れる貴金属であることから、高級感のある家庭用永久磁石磁気治療器となる。
【０１００】
なお、実施形態３に係る家庭用永久磁石磁気治療器１０４は、第１ケース部材及び第２ケース部材の構成以外の点においては、実施形態１に係る家庭用永久磁石磁気治療器１００と同様の構成を有するため、実施形態１に係る家庭用永久磁石磁気治療器１００が有する効果のうち該当する効果をそのまま有する。
【０１０１】
［実施形態４］
図６は、実施形態４に係る家庭用永久磁石磁気治療器を説明するために示す図である。図６は、図５（ｂ）に対応する図である。
なお、図６においては、保護コーティング層７０の厚さを誇張して表示している。
【０１０２】
実施形態４に係る家庭用永久磁石磁気治療器は、基本的には実施形態３に係る家庭用永久磁石磁気治療器１０４と同様の構成を有するが、保護コーティング層の構成が異なる。すなわち、実施形態４に係る家庭用永久磁石磁気治療器１０６においては、図６に示すように、金からなる保護コーティング層７０が、図示しない第１ケース部材の内面及び第２ケース部材４６の内面にも形成されている。保護コーティング層７０の厚さは２μｍであり、例えば、電解めっき法又は無電解めっき法で形成することができる。
【０１０３】
このように、実施形態４に係る家庭用永久磁石磁気治療器は、第１ケース部材及び第２ケース部材の構成が実施形態３に係る家庭用永久磁石磁気治療器１０４とは異なるが、実施形態３に係る家庭用永久磁石磁気治療器１０４の場合と同様に、保護ケース部の厚さが１．４ｍｍであり、また、永久磁石部１０が保護ケース部の内部の永久磁石部収納部に収納されており、さらには、永久磁石部１０が、内部空間Ｓ内において、「保護ケース部の厚さ方向に直交する方向」に沿って移動可能な状態で、永久磁石部収納部に収納されているため、使用時に装着感を損なうことがなく、使用者の皮膚等に異常を発生させる可能性が低く、かつ、使用者が動くとそれに応じて永久磁石部が動き、その結果、永久磁石が動く範囲全体にわたって適正な磁気治療効果を得ることが可能な家庭用永久磁石磁気治療器となる。
【０１０４】
また、実施形態４に係る家庭用永久磁石磁気治療器によれば、第１ケース部材の内面及び第２ケース部材４６の内面にも、金からなる保護コーティング層７０が形成されているため、家庭用永久磁石磁気治療器の信頼性をさらに高くすることが可能となる。
【０１０５】
なお、実施形態４に係る家庭用永久磁石磁気治療器は、保護コーティング層の構成以外の点においては、実施形態３に係る家庭用永久磁石磁気治療器１０４と同様の構成を有するため、実施形態３に係る家庭用永久磁石磁気治療器１０４が有する効果のうち該当する効果をそのまま有する。
【０１０６】
［実施形態５］
図７は、実施形態５に係る家庭用永久磁石磁気治療器を説明するために示す図である。図７は、図６に対応する図である。なお、図７においては、保護コーティング層７０及び下地めっき層７２の厚さを誇張して表示している。
【０１０７】
実施形態５に係る家庭用永久磁石磁気治療器は、基本的には実施形態４に係る家庭用永久磁石磁気治療器と同様の構成を有するが、保護コーティング層の構成が異なる。すなわち、実施形態５に係る家庭用永久磁石磁気治療器においては、図７に示すように、金からなる保護コーティング層７０が、ニッケルからなる下地めっき層７２を介して、図示しない第１ケース部材の表面及び第２ケース部材４８の表面に形成されている。保護コーティング層７０の厚さは２μｍであり、例えば、電解めっき法又は無電解めっき法で形成することができる。また、下地めっき層７２の厚さは０．５μｍであり、例えば、電解めっき法又は無電解めっき法で形成することができる。
【０１０８】
このように、実施形態５に係る家庭用永久磁石磁気治療器は、保護コーティング層の構成が実施形態４に係る家庭用永久磁石磁気治療器とは異なるが、実施形態４に係る家庭用永久磁石磁気治療器と同様に、図示しない保護ケース部の厚さが１．４ｍｍであり、また、永久磁石部１０が保護ケース部の内部の永久磁石部収納部に収納されており、さらには、永久磁石部１０が、内部空間Ｓ内において、「保護ケース部の厚さ方向に直交する方向」に沿って移動可能な状態で、永久磁石部収納部に収納されているため、使用時に装着感を損なうことがなく、使用者の皮膚等に異常を発生させる可能性が低く、かつ、使用者が動くとそれに応じて永久磁石部が動き、その結果、永久磁石が動く範囲全体にわたって適正な磁気治療効果を得ることが可能な家庭用永久磁石磁気治療器となる。
【０１０９】
また、実施形態５に係る家庭用永久磁石磁気治療器によれば、金からなる保護コーティング層７０が、ニッケルからなる下地めっき層７２を介して、第１ケース部材の表面及び第２ケース部材４８の表面に形成されているため、保護コーティング層の密着性、緻密性、めっき付き回り性及び安定性を向上させ、保護コーティング層の耐食性をさらに向上させることが可能となる。
【０１１０】
なお、実施形態５に係る家庭用永久磁石磁気治療器においては、第１ケース部材の内面及び第２ケース部材の内面と、金からなる保護コーティング層７０との間に、磁性材料であるニッケルからなる下地めっき層７２が形成されているため、保護ケース部における内部空間内で永久磁石部の動きが妨げられるのではないかとも考えられる。しかしながら、本発明の発明者の実験によれば、第１ケース部材の内面及び第２ケース部材の内面の両方に、同種の材料（例えばニッケル）からなる下地めっき層を略同一の厚さで形成した場合には、当該下地めっき層を形成することに起因して保護ケース部における内部空間内で永久磁石部の動きが妨げられる、ということがなかった。
【０１１１】
実施形態５に係る家庭用永久磁石磁気治療器は、保護コーティング層の構成以外の点においては、実施形態４に係る家庭用永久磁石磁気治療器と同様の構成を有するため、実施形態４に係る家庭用永久磁石磁気治療器が有する効果のうち該当する効果をそのまま有する。
【０１１２】
［実施形態６］
図８は、実施形態６に係る家庭用永久磁石磁気治療器２００を説明するために示す図である。図８（ａ）は家庭用永久磁石磁気治療器２００を示す上面図であり、図８（ｂ）は図８（ａ）のＡ２−Ａ２断面図である。なお、図８（ｂ）中、符号ｔ１は保護ケース部２２０の厚さを示し、符号ｔ２は永久磁石部２１０の厚さ（保護ケース部２２０の厚さ方向に沿った永久磁石部２１０の長さ）を示し、符号ｔ３は保護ケース部２２０の厚さ方向に沿った内部空間Ｓの長さを示す。
【０１１３】
実施形態６に係る家庭用永久磁石磁気治療器２００は、基本的には実施形態１に係る家庭用永久磁石磁気治療器１００と同様の構成を有するが、第１ケース部材及び第２ケース部材の材料が異なる。すなわち、実施形態６に係る家庭用永久磁石磁気治療器２００においては、第１ケース部材２３０及び第２ケース部材２４０はともに樹脂であるポリプロピレンからなる。なお、保護ケース部２２０の厚さは２．０ｍｍであり、保護ケース部２２０の底面の厚さは０．５ｍｍであり、保護ケース部２２０の天面の厚さは０．５ｍｍであり、保護ケース部２２０の厚さ方向に沿った内部空間Ｓの長さは１．０ｍｍである。保護ケース部２２０の外径は６．７ｍｍである。永久磁石部２１０の厚さは０．８ｍｍである。内部空間Ｓの直径は５．５ｍｍである。永久磁石部２１０の外径は２．７ｍｍである。
【０１１４】
このように、実施形態６に係る家庭用永久磁石磁気治療器２００は、第１ケース部材及び第２ケース部材の材料が実施形態１に係る家庭用永久磁石磁気治療器１００とは異なるが、図示しない保護ケース部の厚さが０．５ｍｍ〜２．２ｍｍ（２．０ｍｍ）の範囲内にあり、また、永久磁石部１０が保護ケース部の内部の永久磁石部収納部に収納されており、さらには、永久磁石部１０が、内部空間Ｓ内において、「保護ケース部の厚さ方向に直交する方向」に沿って移動可能な状態で、永久磁石部収納部に収納されているため、実施形態１に係る家庭用永久磁石磁気治療器１００の場合と同様に、使用時に装着感を損なうことがなく、使用者の皮膚等に異常を発生させる可能性が低く、さらには、使用者が動くとそれに応じて永久磁石部が動き、その結果、永久磁石が動く範囲全体にわたって適正な磁気治療効果を得ることが可能な家庭用永久磁石磁気治療器となる。
【０１１５】
また、実施形態６に係る家庭用永久磁石磁気治療器２００によれば、磁気治療効果を損なうことなく使用者の皮膚等に異常を発生させる可能性を極めて低くすることができる。また、樹脂は成型及び加工が比較的容易であるため、製造が比較的容易な保護ケース部とすることが可能となる。なお、実施形態６に係る家庭用永久磁石磁気治療器２００においては、保護ケース部２２０が非磁性材料である樹脂からなることから、内部空間Ｓ内での永久磁石部１０の動きが抑制されることもない。
【０１１６】
実施形態６に係る家庭用永久磁石磁気治療器２００は、保護コーティング層の材料以外の点においては、実施形態１に係る家庭用永久磁石磁気治療器１００と同様の構成を有するため、実施形態１に係る家庭用永久磁石磁気治療器１００が有する効果のうち該当する効果をそのまま有する。
【０１１７】
［実施例１］
以下の実施例１は、本発明の家庭用永久磁石磁気治療器の磁束密度を測定した例を示す実施例である。実施例１において、磁束密度の測定は、ＬａｋｅＳｈｏｒｅ社の４１０  Ｇａｕｓｓｍｅｔｅｒを用いて行った。
【０１１８】
実施例１においては、実施形態５に係る家庭用永久磁石磁気治療器を１０００個製造し、その中から無作為に選んだ１０個について磁束密度を測定した。その結果、実施例１に係る家庭用永久磁石磁気治療器においては、第１ケース部材の底面表面における磁束密度の平均値は１７６．３ｍＴであり、第２ケース部材の天面表面における磁束密度の平均値は１７６．０ｍＴであった。
【０１１９】
上記の結果、家庭用永久磁石磁気治療器の厚さを１．４ｍｍと薄くしたとしても、使用時に、使用者の皮膚表面において十分な磁力を確保することが可能となることが確認できた。
【０１２０】
以上、本発明を上記の実施形態及び実施例に基づいて説明したが、本発明は上記の実施形態に限定されるものではない。その要旨を逸脱しない範囲において種々の様態において実施することが可能であり、例えば、次のような変形も可能である。
【０１２１】
（１）上記各実施形態における永久磁石部、保護ケース部等の形状及び寸法は一例であり、本発明はこれに限定されるものではない。例えば、保護ケース部の外径は、４ｍｍ、６ｍｍ、８ｍｍ、１０ｍｍ、１２ｍｍ、１４ｍｍ、１６ｍｍなどとすることができる。
【０１２２】
（２）上記実施形態１〜６においては、永久磁石部の厚さが０．８ｍｍであるが、本発明はこれに限定されるものではない。永久磁石部の厚さは、０．３ｍｍ〜１．２ｍｍの範囲内であってもよい。
【０１２３】
（３）上記実施形態１〜５においては、保護ケース部の厚さが１．４ｍｍであり、上記実施形態６においては、保護ケース部の厚さが２．０ｍｍであったが、本発明はこれに限定されるものではない。保護ケース部の厚さは、０．５ｍｍ〜２．２ｍｍの範囲内であってもよい。
【０１２４】
（４）上記実施形態１〜６においては、保護ケース部の厚さ方向に沿った永久磁石部の長さは、保護ケース部の厚さ方向に沿った内部空間Ｓの長さよりも、０．２ｍｍ短かかったが、本発明はこれに限定されるものではない。当該内部空間Ｓの長さよりも０．０５ｍｍ以上短ければよい。
【０１２５】
（５）上記実施形態１〜５においては、永久磁石部の直径が４ｍｍであったが、上記実施形態６においては、永久磁石部の外径が２．６７ｍｍであったが本発明はこれに限定されるものではない。永久磁石部の外径は、１．０ｍｍ〜１３．７ｍｍの範囲内にあればよい。
【０１２６】
（６）上記実施形態１，２においては、第１ケース部材及び第２ケース部材がチタンからなるものであり、上記実施形態３〜５においては、第１ケース部材及び第２ケース部材が真鍮からなるものであるが、本発明はこれに限定されるものではない。第１ケース部材及び第２ケース部材は、例えば、銅、チタン合金、アルミニウム、アルミニウム合金、マグネシウム、マグネシウム合金、亜鉛、亜鉛合金、非磁性鋼、貴金属、貴金属を主成分とする合金、真鍮以外の銅合金等の他の非磁性金属材料からなるものであってもよい。
【０１２７】
（７）上記実施形態１においては、永久磁石部の表面にはニッケルからなる防錆層が形成されているが、本発明はこれに限定されるものではない。例えば、種々の樹脂からなる防錆層や、貴金属からなる防錆層等が形成されていてもよい。
【０１２８】
（８）上記各実施形態においては、保護ケース部の角部に丸め加工及び面取り加工の両方が施されているが、本発明はこれに限定されるものではない。例えば、丸め加工及び面取り加工のみが施されていてもよい。このような構成とすることによっても、使用時の装着感及び安全性を向上させることが可能となる。
【０１２９】
（９）上記実施形態２においては、シール部材６０がブチルゴムからなるＯリングであるが、本発明はこれに限定されるものではない。シール部材は、例えば、樹脂又はゴムからなるシート及び接着剤や、樹脂からなるＯリング等であってもよい。
【０１３０】
（１０）上記実施形態２においては、第１ケース部材３２及び第２ケース部材４２がラッチ構造によって固定されているが、本発明はこれに限定されるものではない。例えば、嵌合や接着剤等によって固定されていてもよい。
【０１３１】
（１１）上記実施形態３〜５においては、保護コーティング層は金からなるものであるが、本発明はこれに限定されるものではない。例えば、白金、ロジウム又はパラジウムからなるものであってもよい。また、金、白金、ロジウム又はパラジウムのうちいずれかを主成分とする合金又は混合物からなるものであってもよい。
【０１３２】
（１２）上記実施形態３〜５においては、保護コーティング層が金のみからなるものであるが、本発明はこれに限定されるものではない。本発明の家庭用永久磁石磁気治療器においては、保護コーティング層がゲルマニウム、ラジウム又はトルマリンを含有するものであってもよい。このような構成とすることにより、磁気治療効果に加えて、ゲルマニウム、ラジウム又はトルマリンが有する効果（例えば、新陳代謝の活性化、血流促進、温熱効果等）を得ることができる。
【０１３３】
（１３）ゲルマニウム、ラジウム又はトルマリンを微粒子として含有させる場合には、ゲルマニウム微粒子、ラジウム微粒子又はトルマリン微粒子を、金、白金、ロジウム又はパラジウムを主成分とするめっきに含有させた複合めっきにより保護コーティング層を構成することができる。このような構成とすることにより、上記する微粒子を含有した保護コーティング層を簡易に形成することが可能となる。なお、複合めっきとは、微粒子をめっき中に共析させたものをいい、共析めっきともいう。
【０１３４】
（１４）また、ゲルマニウムを合金として含有させる場合には、金、白金、ロジウム又はパラジウムを主成分とし、ゲルマニウムを含有する合金からなる合金めっきにより保護コーティング層を構成することができる。このような構成とすることにより、ゲルマニウムを含有した保護コーティング層を簡易に形成することが可能となる。
【０１３５】
（１５）本発明の家庭用永久磁石磁気治療器においては、第１ケース部材と第２ケース部材とを容易に判別することを可能とするための工夫がなされていてもよい。具体的には、第１ケース部材の色と第２ケース部材の色とを異ならせることや、第１ケース部材又は第２ケース部材の一方のみに凸部又は凹部を設けることを例示することができる。
【０１３６】
（１６）上記実施形態１〜６においては、永久磁石部は円盤状（円柱状）であったが、本発明はこれに限られるものではない。例えば、六角柱、八角柱などの柱状であればよい。
【０１３７】
（１７）上記実施形態１〜５においては、家庭用永久磁石磁気治療器の表面に、含侵、ディッピング、吹き付け塗装、電着塗装又は焼き付け塗装による封孔処理が施されていてもよい。このような構成とすることにより、保護ケース部の表面等に存在することがある微細な孔やクラックを樹脂によって塞ぎ、より安全性が高く、また、より耐食性が高い家庭用永久磁石磁気治療器とすることが可能となる。
【０１３８】
（１８）上記実施形態６においては、保護ケース部２２０はポリプロピレンからなるものであるが、本発明はこれに限定されるものではない。要するに、安定であり、人体に対する反応性が低い樹脂からなるものであればよい。例えば、ＡＢＳ（アクリロニトリル−ブタジエン−スチレン）樹脂、ポリ塩化ビニル等からなるものであってもよい。
【０１３９】
（１９）上記実施形態６においては、保護ケース部が樹脂中にゲルマニウム、ラジウム又はトルマリンを含有してもよい。このような構成とすることにより、磁気治療効果に加えて、ゲルマニウム、ラジウム又はトルマリンが有する効果（例えば、新陳代謝の活性化、血流促進、温熱効果等）を得ることができる。なお、保護ケース部は、ゲルマニウム、ラジウム又はトルマリンを、微粒子状、薄片状、粒状等種々の形態で含有することができる。
【０１４０】
（２０）上記実施形態１において説明した永久磁石部の製造方法は一例であり、本発明の家庭用永久磁石磁気治療器に使用される永久磁石部は、この方法で製造された永久磁石部に限定されるものではない。
【０１４１】
（２１）上記実施形態１において説明した第１ケース部材３０及び第２ケース部材４０の製造方法は一例であり、本発明の家庭用永久磁石磁気治療器に使用される第１ケース部材及び第２ケース部材は、この方法で製造された第１ケース部材及び第２ケース部材に限定されるものではない。
【０１４２】
（２２）上記実施形態１において説明した家庭用永久磁石磁気治療器の組立方法は一例であり、本発明の家庭用永久磁石磁気治療器は、この方法で組立された家庭用永久磁石磁気治療器に限定されるものではない。
【０１４３】
（２３）上記実施形態１において説明した第１ケース部材３０及び第２ケース部材４０の製造方法においては、原棒から第１ケース部材３０及び第２ケース部材４０を製造したが、本発明はこれに限定されるものではない。例えば、原板から第１ケース部材及び第２ケース部材を製造することもできる。原板の加工には、切削及び研削の他にプレスによって行うこともでき、プレスを行う機械としては、液圧式又は機械式のプレス機を用いることができる。
【０１４４】
（２４）上記各実施形態においては、家庭用永久磁石磁気治療器は絆創膏５００によって使用者の皮膚表面に貼り付けることとしたが、本発明はこれに限定されるものではない。パッチ、シール等、種々の貼り付け部材によって使用者の皮膚表面に貼り付けることとしてもよい。
【符号の説明】
【０１４５】
１０，２１０…永久磁石部、２０，２２，２４，２２０…保護ケース部、３０，３２，３４，２３０…第１ケース部材、４０，４２，４４，２４０…第２ケース部材、５０，５２，５４，２５０…永久磁石部収納部、６０…シール部材、７０…保護コーティング層、７２・・・下地めっき層、１００，１０２，１０４，２００，９００…家庭用永久磁石磁気治療器、９１０…絆創膏、９１２…絆創膏の基材、９１４…上部剥離紙、Ｈ…使用者の皮膚、Ｓ…内部空間、ｔ１…保護ケース部の厚さ、ｔ２…永久磁石部の厚さ、ｔ３…保護ケース部２０の厚さ方向に沿った内部空間５０の長さ
【図１】
2011083394.tif 000003
【図２】
2011083394.tif 000004
【図３】
2011083394.tif 000005
【図４】
2011083394.tif 000006
【図５】
2011083394.tif 000007
【図６】
2011083394.tif 000008
【図７】
2011083394.tif 000009
【図８】
2011083394.tif 000010
【図９】
2011083394.tif 000011